(57)【要約】【課題】本発明を用いない場合に比べて高速に、墨成分や特色成分を含む出力色信号を得ることができる色処理装置および色処理プログラムを提供する。【解決手段】入力色変換部１１で変換した入力色信号を示す再現色から、特色成分を最小とした場合の墨成分の最小値以上最大値以下の範囲で墨成分の値を墨量決定部１２で決定する。この墨成分の値と再現色をもとに、最大特色決定部１３は特色成分の最大値を決定する。墨量決定部１２で墨成分の値を決定した際の特色成分の最小値以上であって最大特色決定部１３で決定した特色成分の最大値以下の範囲で、特色量決定部１４は特色成分の値を決定する。そして、基本色決定部１５は再現色と墨量決定部１２で決定した墨成分の値と特色量決定部１４で決定した特色成分の値から基本色成分の各値を算出する。このようにして決定された基本色成分、墨成分、特色成分を出力色信号とする。【選択図】図１
2011009843.tif 000002
【特許請求の範囲】
【請求項１】
与えられた再現色から基本色成分および墨成分および特色成分を含む出力色信号のうち特色成分の値の最小値を求めるとともに該特色成分を最小値とした場合の墨成分の最小値および最大値を求め該最小値以上最大値以下の範囲で墨成分の値を決定する墨量決定手段と、前記墨量決定手段で決定した墨成分の値と前記再現色とから前記基本色成分のいずれかを０とする特色成分の最大値を決定する最大特色決定手段と、前記墨量決定手段で墨成分の値を決定した際の特色成分の最小値以上であって前記最大特色決定手段で決定した特色成分の最大値以下の範囲で特色成分の値を決定する特色量決定手段と、前記再現色と前記墨量決定手段で決定した墨成分の値と前記特色量決定手段で決定した特色成分の値から前記基本色成分の各値を算出する基本色決定手段を有することを特徴とする色処理装置。
【請求項２】
前記最大特色決定手段は、出力装置に色信号を与えた場合に得られる色の測色値と前記色信号との対応から得られるモデルを用いて、前記再現色および前記墨量決定手段で決定した墨成分の値と前記基本色成分のうちのいずれかとして０を前記モデルに与え、得られた特色成分の値を前記特色成分の最大値として決定することを特徴とする請求項１に記載の色処理装置。
【請求項３】
前記墨量決定手段は、再現色から墨成分の最小値を算出するモデルを構成して墨成分の最小値を求め、また、再現色から墨成分の最大値を算出するモデルを構成して墨成分の最大値を求めることを特徴とする請求項１または請求項２に記載の色処理装置。
【請求項４】
前記墨量決定手段は、与えられた墨成分の値を前記墨成分の最小値以上最大値以下の範囲で保存して前記出力色信号の墨成分の値を決定することを特徴とする請求項１から請求項３のいずれか１項に記載の色処理装置。
【請求項５】
前記墨量決定手段は、前記墨成分を保存する量を装置独立な色空間における明度、彩度、色相の少なくとも１つに応じて制御することを特徴とする請求項４に記載の色処理装置。
【請求項６】
前記墨量決定手段は、墨成分の最小値以上最大値以下の範囲で求めた墨成分の値と与えられた墨成分の値の範囲で墨成分の値を決定することを特徴とする請求項１から請求項３のいずれか１項に記載の色処理装置。
【請求項７】
前記特色量決定手段は、与えられた特色成分の値を前記特色成分の最小値以上最大値以下の範囲で保存して前記出力色信号の特色成分の値を決定することを特徴とする請求項１から請求項６のいずれか１項に記載の色処理装置。
【請求項８】
前記特色量決定手段は、前記特色成分を保存する量を装置独立な色空間における明度、彩度、色相の少なくとも１つに応じて制御することを特徴とする請求項７に記載の色処理装置。
【請求項９】
前記特色量決定手段は、特色成分の最小値以上最大値以下の範囲で求めた特色成分の値と与えられた特色成分の値の範囲で特色成分の値を決定することを特徴とする請求項１から請求項６のいずれか１項に記載の色処理装置。
【請求項１０】
前記特色量決定手段は、与えられた特色成分との色相の差が最も小さい前記出力色信号における特色成分の値が与えられたものとして、前記出力色信号の特色成分の値を決定することを特徴とする請求項７から請求項９のいずれか１項に記載の色処理装置。
【請求項１１】
さらに、装置依存色空間における色信号が与えられた場合に装置独立な色空間の前記再現色を示す色信号に変換する変換手段をさらに有することを特徴とする請求項１から請求項１０のいずれか１項に記載の色処理装置。
【請求項１２】
前記特色量決定手段は、前記出力色信号における特色成分が複数存在する場合に、それぞれの特色成分について、各特色成分の最小値以上最大値以下の範囲で値を決定することを特徴とする請求項１から請求項１１のいずれか１項に記載の色処理装置。
【請求項１３】
コンピュータに、請求項１から請求項１２のいずれか１項に記載の色処理装置の機能を実行させるものであることを特徴とする色処理プログラム。
【発明の詳細な説明】
【技術分野】
【０００１】
本発明は、色処理装置および色処理プログラムに関するものである。
【背景技術】
【０００２】
出力装置によってカラー画像を出力する場合、利用者が意図した色の再現が求められることがある。この場合、出力装置に与えた色信号によって意図される色（以下、再現色と呼ぶ）を出力装置によって忠実に再現するほか、ある色成分については保存して再現することを要求されることがある。例えば、与えられた墨成分や特色成分についてはそのまま保存し、出力装置でも墨成分や特色成分によって再現する要求がある。
【０００３】
墨成分や特色成分を保存する技術として、例えば特許文献１や特許文献２に記載されている方法がある。特許文献１に記載されている方法では、墨成分および特色成分を含む出力色信号に変換した後、保存したい色成分については強制的に値を変更している。この場合、再現される色は保持されない。
【０００４】
特許文献２に記載されている方法では、墨成分および特色成分をそれぞれ独立に決定し、決定した墨成分および各特色成分から残りの基本色成分を決定して、色再現を行っている。ここで、墨成分および特色成分を決定する際には、出力装置において再現される色範囲内において決定する必要がある。そのために特許文献１においては、２分探索法などの探索的な繰り返し処理によって墨成分や特色成分の最大値と最小値を求め、色範囲内の値を得ている。
【先行技術文献】
【特許文献】
【０００５】
【特許文献１】特開２００７−３２４７１３号公報
【特許文献２】特許第４２３８９９２号公報
【発明の概要】
【発明が解決しようとする課題】
【０００６】
本発明は、高速に、墨成分や特色成分を含む出力色信号を得ることができる色処理装置および色処理プログラムを提供することを目的とするものである。
【課題を解決するための手段】
【０００７】
本願請求項１に記載の発明は、与えられた再現色から基本色成分および墨成分および特色成分を含む出力色信号のうち特色成分の値の最小値を求めるとともに該特色成分を最小値とした場合の墨成分の最小値および最大値を求め該最小値以上最大値以下の範囲で墨成分の値を決定する墨量決定手段と、前記墨量決定手段で決定した墨成分の値と前記再現色とから前記基本色成分のいずれかを０とする特色成分の最大値を決定する最大特色決定手段と、前記墨量決定手段で墨成分の値を決定した際の特色成分の最小値以上であって前記最大特色決定手段で決定した特色成分の最大値以下の範囲で特色成分の値を決定する特色量決定手段と、前記再現色と前記墨量決定手段で決定した墨成分の値と前記特色量決定手段で決定した特色成分の値から前記基本色成分の各値を算出する基本色決定手段を有することを特徴とする色処理装置である。
【０００８】
本願請求項２に記載の発明は、本願請求項１に記載の発明における前記最大特色決定手段が、出力装置に色信号を与えた場合に得られる色の測色値と前記色信号との対応から得られるモデルを用いて、前記再現色および前記墨量決定手段で決定した墨成分の値と前記基本色成分のうちのいずれかとして０を前記モデルに与え、得られた特色成分の値を前記特色成分の最大値として決定することを特徴とする色処理装置である。
【０００９】
本願請求項３に記載の発明は、本願請求項１または請求項２に記載の発明における前記墨量決定手段が、再現色から墨成分の最小値を算出するモデルを構成して墨成分の最小値を求め、また、再現色から墨成分の最大値を算出するモデルを構成して墨成分の最大値を求めることを特徴とする色処理装置である。
【００１０】
本願請求項４に記載の発明は、本願請求項１から請求項３のいずれか１項に記載の発明における前記墨量決定手段が、与えられた墨成分の値を前記墨成分の最小値以上最大値以下の範囲で保存して前記出力色信号の墨成分の値を決定することを特徴とする色処理装置である。
【００１１】
本願請求項５に記載の発明は、本願請求項４に記載の発明における前記墨量決定手段が、前記墨成分を保存する量を装置独立な色空間における明度、彩度、色相の少なくとも１つに応じて制御することを特徴とする色処理装置である。
【００１２】
本願請求項６に記載の発明は、本願請求項１から請求項３のいずれか１項に記載の発明における前記墨量決定手段が、墨成分の最小値以上最大値以下の範囲で求めた墨成分の値と与えられた墨成分の値の範囲で墨成分の値を決定することを特徴とする色処理装置である。
【００１３】
本願請求項７に記載の発明は、本願請求項１から請求項６のいずれか１項に記載の発明における前記特色量決定手段が、与えられた特色成分の値を前記特色成分の最小値以上最大値以下の範囲で保存して前記出力色信号の特色成分の値を決定することを特徴とする色処理装置である。
【００１４】
本願請求項８に記載の発明は、本願請求項７に記載の発明における前記特色量決定手段が、前記特色成分を保存する量を装置独立な色空間における明度、彩度、色相の少なくとも１つに応じて制御することを特徴とする色処理装置である。
【００１５】
本願請求項９に記載の発明は、本願請求項１から請求項６のいずれか１項に記載の発明における前記特色量決定手段が、特色成分の最小値以上最大値以下の範囲で求めた特色成分の値と与えられた特色成分の値の範囲で特色成分の値を決定することを特徴とする色処理装置である。
【００１６】
本願請求項１０に記載の発明は、本願請求項７から請求項９のいずれか１項に記載の発明における前記特色量決定手段が、与えられた特色成分との色相の差が最も小さい前記出力色信号における特色成分の値が与えられたものとして、前記出力色信号の特色成分の値を決定することを特徴とする色処理装置である。
【００１７】
本願請求項１１に記載の発明は、本願請求項１から請求項１０のいずれか１項に記載の発明の構成に、装置依存色空間における色信号が与えられた場合に装置独立な色空間の前記再現色を示す色信号に変換する変換手段をさらに有することを特徴とする色処理装置である。
【００１８】
本願請求項１２に記載の発明は、本願請求項１から請求項１１のいずれか１項に記載の発明における前記特色量決定手段が、前記出力色信号における特色成分が複数存在する場合に、それぞれの特色成分について、各特色成分の最小値以上最大値以下の範囲で値を決定することを特徴とする色処理装置である。
【００１９】
本願請求項１３に記載の発明は、コンピュータに、請求項１から請求項１２のいずれか１項に記載の色処理装置の機能を実行させるものであることを特徴とする色処理プログラムである。
【発明の効果】
【００２０】
本願請求項１に記載の発明によれば、本構成を有しない場合に比べて高速に、墨成分および特色成分を含む出力色信号を得ることができる。
【００２１】
本願請求項２に記載の発明によれば、墨成分の値に応じた特色成分の最大値を決定することができる。
【００２２】
本願請求項３に記載の発明によれば、墨成分の探索をすることなく、墨成分の最大値および最小値を求めることができる。
【００２３】
本願請求項４に記載の発明によれば、与えられた墨成分の値を保存した色変換を行うことができる。
【００２４】
本願請求項５に記載の発明によれば、与えられた墨成分の保存量を明度、彩度、色相等に応じて変化させることができる。
【００２５】
本願請求項６に記載の発明によれば、与えられた墨成分の値を反映した色変換を行うことができる。
【００２６】
本願請求項７に記載の発明によれば、与えられた特色成分の値を保存した色変換を行うことができる。
【００２７】
本願請求項８に記載の発明によれば、与えられた特色成分の保存量を明度、彩度、色相等に応じて変化させることができる。
【００２８】
本願請求項９に記載の発明によれば、与えられた特色成分の値を反映した色変換を行うことができる。
【００２９】
本願請求項１０に記載の発明によれば、与えられた特色成分の色が出力色信号の特色成分の色と異なる場合でも対応することができる。
【００３０】
本願請求項１１に記載の発明によれば、与えられた特色成分が出力色信号の特色成分と異なる場合にも対応することができる。
【００３１】
本願請求項１２に記載の発明によれば、複数の特色を使用する場合にも対応することができる。
【００３２】
本願請求項１３に記載の発明によれば、本願請求項１から請求項１２のいずれか１項に記載の発明の効果を得ることができる。
【図面の簡単な説明】
【００３３】
【図１】本発明の実施の一形態を示す構成図である。
【図２】出力装置の色再現域における墨成分および墨以外の特色成分の使用量の一例の説明図である。
【図３】墨成分および墨以外の特色成分を最大とする組み合わせを求める一例の説明図である。
【図４】本発明の実施の一形態の変形例を示す構成図である。
【図５】入力色信号の色成分を保存しない場合の動作の一例の説明図である。
【図６】入力色信号の墨成分および特色成分を保存する場合の動作の一例の説明図である。
【図７】入力色信号の墨成分および特色成分を保存する場合の動作の別の例の説明図である。
【図８】入力色信号の墨成分について保存する場合の動作の一例の説明図である。
【図９】動作を選択するための表示画面の一例の説明図である。
【図１０】本発明の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００３４】
まず、本発明の実施の形態の理解を容易にするために、本発明の実施の形態が適用される技術について説明する。
【００３５】
出力装置が受け取る色信号を、使用する色を成分とする色信号に変換する方法の一つとして、色変換モデルを用いる方法がある。例えば、出力装置が使用する色の成分について複数の組み合わせに対応する色パッチを作成し、その色パッチを出力して測色し、使用する色の成分の組み合わせと測色値との対応関係をモデル化し、そのモデルを用いて色変換を行う。
【００３６】
モデル化された対応関係は、例えば出力装置がＣＭＹＫの４色を使用して画像を出力する場合には、
（Ｌ* ，ａ* ，ｂ* ）＝Ｆ（Ｃ，Ｍ，Ｙ，Ｋ）        （数式１）
として記述される。ここで、（Ｌ* ，ａ* ，ｂ* ）は出力装置が出力した色を測色した測色値であり、Ｆがモデル化された対応関係を示す関数である。このモデルを用い、Ｌ* ａ* ｂ* で示される色を得ようとする場合に出力装置に与えるべきＣＭＹＫを算出するには、
（Ｃ，Ｍ，Ｙ，Ｋ）＝Ｆ-1（Ｌ* ，ａ* ，ｂ* ）        （数式２）
で示す逆変換モデルを用いることになる。この変換は、３次元の色信号であるＬ* ａ* ｂ* から４次元の色信号であるＣＭＹＫへの変換となり、数学的には一意に解は得られない。そこで、ＣＭＹＫのうちの１つ、例えばＫについて
Ｋ＝ｆｋ（Ｌ* ，ａ* ，ｂ* ）                        （数式３）
により先に決めておき、決めたＫとＬ* ａ* ｂ* から
（Ｃ，Ｍ，Ｙ）＝Ｇ-1（Ｌ* ，ａ* ，ｂ* ，Ｋ）          （数式４）
によりＣＭＹを決定する方法が用いられている。ここで、数式３のｆｋは、Ｌ* ａ* ｂ* に対してＫの与え方を設計する関数である。また関数Ｇ-1は関数Ｆ-1においてＫが決定した場合のＣＭＹを決定する関数である。
【００３７】
数式３と数式４は、出力装置がＣＭＹＫを用いて画像を出力する場合の例であるが、例えば、ＣＭＹＫＯＧ（Ｏ＝オレンジ、Ｇ＝グリーン）の６色を用いる場合や、ＣＭＹＫＲＧＢ（Ｒ＝レッド、Ｇ＝グリーン、Ｂ＝ブルー）の７色を用いる場合など、５色以上を用いる場合には、出力装置で再現しようとする色（再現色）を示す３次元の色信号（Ｌ* ａ* ｂ* ）を、６次元あるいは７次元の色信号に変換することになる。例えば出力装置がＣＭＹＫＲＧＢの７色を用いて画像を出力する場合、Ｌ* ａ* ｂ* 色信号からＣＭＹＫＲＧＢ色信号へ変換することになる。
【００３８】
このような５以上の色を用いる場合の変換方法としては、数式３と数式４を用いた方法を拡張させた方法がある。すなわち、数式５、数式６、数式７により特色成分を決定し、数式８で基本色成分であるＣＭＹを算出する方法である。
Ｒ＝ｆR （Ｌ* ，ａ* ，ｂ* ）                      （数式５）
Ｇ＝ｆG （Ｌ* ，ａ* ，ｂ* ）                      （数式６）
Ｂ＝ｆB （Ｌ* ，ａ* ，ｂ* ）                      （数式７）
（Ｃ，Ｍ，Ｙ）＝Ｈ-1（Ｌ* ，ａ* ，ｂ* ，Ｋ，Ｒ，Ｇ，Ｂ）（数式８）
このようにして、出力装置が受け取る色信号の色成分の数よりも多くの色を使用する場合についても、使用する色を成分とする色信号が得られることになる。
【００３９】
この変換過程において、数式３、数式５、数式６、数式７で墨成分（Ｋ）および墨以外の特色成分（ＲＧＢ）を算出する際に、最終的に数式８で算出されるＣＭＹＫＲＧＢが色域内となるようにＫＲＧＢを決定する必要がある。そのために、上述の特許文献２ではＫＯＧの最大値や最小値の算出を、処理時間がかかる探索的な繰り返し処理により求めている。
【００４０】
図２は、出力装置の色再現域における墨成分および墨以外の特色成分の使用量の一例の説明図、図３は、墨成分および墨以外の特色成分を最大とする組み合わせを求める一例の説明図である。ここでは墨成分（Ｋ）と他の１色の特色成分（図３ではＲ（赤））を用いる場合を示している。図２（Ａ）は墨成分を最小とし、墨以外の特色成分を最大とする場合を、図２（Ｂ）は墨成分および墨以外の特色成分を最大とする場合を、図２（Ｃ）は墨成分および墨以外の特色成分を最小とする場合を、図２（Ｄ）は墨成分を最大とし、墨以外の特色成分を最小とする場合を、それぞれ示している。また、右下がりの斜線を施した色領域は墨成分を含み墨以外の特色成分を含まない領域を示し、右上がりの斜線を施した色領域は少なくとも墨以外の特色成分を含む領域を示し、斜線を施していない領域は墨成分および墨以外の特色成分をともに含まない領域を示している。
【００４１】
図２（Ｃ）に示すように、墨成分および墨以外の特色成分を用いない場合には斜線を施していない色領域しか再現されないが、墨成分を使用することにより右下がりの斜線を施した色領域まで再現されるようになり、さらに墨以外の特色成分を使用することにより右上がりの斜線を施した領域まで再現されるようになる。この色再現域内の色を再現するための各色成分の組み合わせは複数存在する。図３（Ａ）には、色再現域内のある色を表すＣＭＹＫＲの一例を示している。図３（Ｂ）では、ＵＣＲ（Ｕｎｄｅｒ  Ｃｏｌｏｒ  Ｒｅｍｏｖａｌ）の原理によりＣＭＹを等量ずつ減らしてその分だけＫを増やした場合を示している。この例ではＣ＝０となり、この場合が墨成分（Ｋ）を最大限に使用した場合に相当する。墨成分を最大限に使用した場合（墨以外の特色成分は最小）を図２（Ｄ）に示している。
【００４２】
図３（Ｃ）は、図３（Ｂ）の組み合わせから、ＭＹを等量ずつ減らしてその分だけＲを増やした場合を示している。この例ではＹ＝０となり、この場合がＲ成分を最大限に使用した場合に相当する。従って、この例では図３（Ｃ）に示したＣＭＹＫＲの組み合わせの場合が、墨成分（Ｋ）および墨以外の特色成分（Ｒ）が最大となる組み合わせである。このように墨成分および墨以外の特色成分を最大とする場合を図２（Ｂ）に示している。
【００４３】
図３では墨成分を先に最大まで増加させたが、先に墨以外の特色成分を最大まで増加させてもよく、この場合には図２（Ａ）に示すように墨以外の特色成分を使用する領域が増加する。さらに墨成分を増加させて最大限に使用する場合には図２（Ｂ）に示すようになる。
【００４４】
このように、墨成分および墨以外の特色成分の値は、図２（Ｃ）に示した墨成分および墨以外の特色成分をともに最小限に使用する場合から、図２（Ｂ）に示した墨成分および墨以外の特色成分をともに最大限に使用する場合までの範囲で取り得ることになる。
【００４５】
なお、一般に出力装置で使用する色材の総量が制限される場合がある。例えばＣＭＹＫＲの場合はＣ＋Ｍ＋Ｙ＋Ｋ＋Ｒの値が予め設定されている値（総量制限値）以下となっているという条件を厳守しなければならない。図３に示した例からも分かるように、ＵＣＲの原理によりＣ、Ｍ、Ｙの３成分をＫの１成分に、またＭ、Ｙの２成分をＲの１成分にそれぞれ置き換えることから、ＫおよびＲを最大限に使用した場合にＣ＋Ｍ＋Ｙ＋Ｋ＋Ｒの値は最小となる。この最小値が総量制限値を満たしていれば、少なくともその色は出力装置で再現されることになる。従って、総量制限値が設定されている場合には、図２（Ｂ）に示した墨成分および墨以外の特色成分を最大限に使用するＣＭＹＫＲの組み合わせにおいて、総和が総量制限値を満たす色領域を求めることによって、総量制限が課せられた場合の色再現域が得られる。このようにして得られた色再現域内の色においても、総量制限値を満たす範囲内で図２に示したようにＫまたはＲあるいはＫとＲを最小とするＣＭＹＫＲの組み合わせは一意に存在することになる。
【００４６】
総量制限のほかにも、例えば各色成分に対して上限が制限されている単色制限など、出力装置には種々の制限が課せられている場合がある。これらの種々の制限が課せられている場合でも、制限を満たす色再現域が決まれば、その色再現域内において墨成分やその他の特色成分について最小値、最大値の場合の各色成分の組み合わせは存在し、その範囲で各色成分の値を変更してよいことになる。
【００４７】
以下、本発明を実施するための形態について説明するが、ここでは目標とする出力装置（目標出力装置）で出力するために作成されている色信号（入力色信号）を、実際に出力を行う出力装置（実出力装置）で出力するための色信号（出力色信号）に変換するものとして説明する。目標出力装置および実出力装置は、ＣＭＹＫ、ＣＭＹＫＲ、ＣＭＹＫＲＧ、ＣＭＹＫＯＧ、ＣＭＹＫＲＧＢなどの４色から７色（Ｃ＝シアン、Ｍ＝マゼンタ、Ｙ＝イエロー、Ｋ＝墨（ブラック）、Ｒ＝レッド、Ｇ＝グリーン、Ｂ＝ブルー、Ｏ＝オレンジ）の色材を用いて画像を出力する出力装置を想定している。入力色信号および出力色信号は、この色材の色を成分とする色信号である。また、入力色信号および出力色信号の色成分のうち、ＣＭＹを基本色成分と呼び、この基本色成分以外の色成分として、墨成分と、墨以外の特色成分を含むものとする。もちろんＲＧＢを基本色成分とし、墨成分と他の特色成分で構成してもよい。なお、以下の説明では、特色成分は墨成分を含まないものとし、出力色信号は、基本色成分、墨成分、特色成分により構成されているものとする。入力色信号は、各具体例に応じて基本色成分、または基本色成分と墨成分、あるいは基本色成分と墨成分と特色成分から構成されているものとする。ここで特色については択一的に使用することとすれば、複数の特色を用いた場合でも基本色成分、墨成分、１色の特色成分で構成される出力色信号に変換する場合に帰着するので、以下の説明では具体例としてＣＭＹＫＲを用いることとして、多くの具体的な説明を行う。
【００４８】
また、目標出力装置で出力される色を再現色とし、この再現色が実出力装置で出力されるように色処理を行うものとし、この再現色を装置に依存しない色空間の色信号として示す。この装置に依存しない色空間として、ここではＬ* ａ* ｂ* 色空間を用いるが、ｓＹＣｂＣｒ色空間でもＸＹＺ色空間などでもよい。なお、目標出力装置で出力するために作成された入力色信号の代わりに、再現色を示す色信号、ここではＬ* ａ* ｂ* 色信号が与えられてもよい。
【００４９】
図１は、本発明の実施の一形態を示す構成図である。図中、１１は入力色変換部、１２は墨量決定部、１３は最大特色決定部、１４は特色量決定部、１５は基本色決定部、１６は選択部である。入力色変換部１１は、目標出力装置で出力するために作成された装置依存色空間における入力色信号を、装置独立な色空間であるＬ* ａ* ｂ* 色空間の色信号に変換する。この色信号は目標出力装置で出力して得られる色であって、実出力装置で再現すべき色（再現色）を示している。なお、変換した色信号が実出力装置の色再現域外の場合には、色再現域の色へ変換する色域圧縮処理を行っておくとよい。また、再現色を示すＬ* ａ* ｂ* 色空間の色信号が与えられる場合には、この入力色変換部１１を設けずに構成してもよい。入力色信号をＬ* ａ* ｂ* 色信号に変換する方法の一例としては、目標出力装置に色信号を与えた場合に得られる色の測色値とその際に与えた色信号との対応から目標出力装置のモデルを作成し、そのモデルに、入力色信号を与えてＬ* ａ* ｂ* 色信号を得ればよい。
【００５０】
墨量決定部１２は、再現色の色信号から、出力色信号のうち特色成分の値の最小値を求めるとともに、その特色成分を最小値とした場合の墨成分の最小値および最大値を求め、その最小値以上最大値以下の範囲で墨成分の値を決定する。特色成分を最小値とした場合の墨成分の最大値をとる場合については一例を図２（Ｄ）に、最小値をとる場合については図２（Ｃ）にそれぞれ示している。この図２（Ｃ）と図２（Ｄ）との範囲で墨成分の値を決定すればよい。なお、色再現域における特色成分の最小値は一意に決まることから、色再現域の色信号（Ｌ* ａ* ｂ* 色信号）と特色成分（ここではＲ）の最小値との複数の組から色変換モデルを作成しておき、与えられた再現色のＬ* ａ* ｂ* 色信号から特色成分の最小値を求めればよい。また、墨成分の最小値（ｍｉｎＫ）および最大値（ｍａｘＫ）についても、特色成分を最小値に決めていることから色再現域の各色における墨成分の最小値（ｍｉｎＫ）および最大値（ｍａｘＫ）は図２（Ｃ）、図２（Ｄ）に示したようにそれぞれ一意に決まる。この場合も、特色成分が最小値をとるという条件の下で、色再現域の各色におけるＬ* ａ* ｂ* および墨成分の最小値との組から作成した色変換モデルを用いて、再現色に対応する墨成分の最小値（ｍｉｎＫ）を求めればよい。また、特色成分が最小値をとるという条件の下で、色再現域の各色におけるＬ* ａ* ｂ* および墨成分の最大値との組から作成した色変換モデルを用いて、再現色に対応する墨成分の最大値（ｍａｘＫ）を求めればよい。
【００５１】
求めた墨成分の最小値と最大値で定まる範囲で墨成分の値を決定する方法は予め決めておけばよく、例えば装置独立な色空間における明度、彩度、色相の少なくとも１つに応じて制御する方法や、自然画やグラフィックなどの画像の種別に応じて制御する方法などがある。明度および彩度で墨成分の値を制御する場合の一例としては、明度が高いほど、彩度が高いほど、最小値（ｍｉｎＫ）に近づけ、明度が低く彩度が低いほど、最大値（ｍａｘＫ）に近づけるといった制御方法が考えられる。
【００５２】
また、墨量決定部１２が墨成分の値を決定する際には、選択部１６の設定に従って、入力色信号の墨成分の値を保存するか否かを切り替える。入力色信号として与えられた墨成分を保存する場合には、入力色信号の墨成分の値または入力色信号の墨成分により目標出力装置で再現される明度を実出力装置で再現するための墨成分の値が、求めた墨成分の最小値以上最大値以下の範囲であればそのまま決定し、範囲外であれば最小値または最大値としてもよい。あるいは、墨成分の最小値以上最大値以下の範囲内で装置独立な色空間における明度、彩度、色相の少なくとも１つに応じて入力色信号の墨成分の値を制御したり、自然画やグラフィックなどの画像の種別に応じて制御してもよい。さらには、墨成分の最小値と最大値で定まる範囲で決定した墨成分の値と入力色信号の墨成分の値との範囲で墨成分の値を制御し、墨成分の値を決定してもよい。入力色信号の墨成分を保存しない設定の場合には、入力色信号の墨成分を参照せずに、墨成分の最小値以上最大値以下の範囲で出力色信号の墨成分の値を決定すればよい。もちろん、選択部１６からの設定を受けずにいずれかの動作を行う構成であってもよい。
【００５３】
最大特色決定部１３は、墨量決定部１２で決定した墨成分の値と再現色とから、基本色成分のいずれかを０とする特色成分の最大値を決定する。特色成分の最大値は墨成分の値に応じて異なるため、墨量決定部１２で決定した墨成分の値に応じて特色成分の最大値を決定する。基本色成分のうちのいずれを０にするかは、ＵＣＲの原理により特色で置き換えてもよい基本色成分のうちの値が小さい方の色成分である。例えば基本色がＣＭＹ、特色がＲである場合、ＭとＹをＲに置き換えてもよいことから、ＭとＹのいずれか小さい方を０とする。これによって、Ｒを最大限に使用した場合の値が得られることになる。特色成分の最大値を決定する方法の一例としては、実出力装置に色信号を与えた場合に得られる色の測色値とその際に与えた色信号との対応からモデルを作成し、そのモデルに、再現色および墨量決定部１２で決定した墨成分の値と基本色成分のうちのいずれかとして０を与え、得られた特色成分の値を特色成分の最大値として決定すればよい。具体例としては、再現色のＬ* ａ* ｂ* とＫの値とＭまたはＹの値として０をモデルに与え、ＣとＹまたはＭとＲの値を得て、そのＲの値をＲの最大値とすればよい。
【００５４】
特色量決定部１４は、墨量決定部１２で墨成分の値を決定した際の特色成分の最小値以上であって、最大特色決定部１３で決定した特色成分の最大値以下の範囲で特色成分の値を決定する。特色成分の値を決定する方法は予め決めておけばよく、例えば装置独立な色空間における明度、彩度、色相の少なくとも１つに応じて制御する方法や、自然画やグラフィックなどの画像の種別に応じて制御する方法などがある。また、再現色のＬ* ａ* ｂ* と墨量決定部１２で決定したＫとから特色成分の値を得るモデルを作成しておき、そのモデルを用いて得た特色成分の値を当該特色成分の最大値及び最小値で調整してもよい。
【００５５】
特色量決定部１４が特色成分の値を決定する際には、選択部１６の設定に従って、入力色信号の特色成分の値を保存するか否かを切り替える。入力色信号として与えられた特色成分を保存する場合には、入力色信号の特色成分の値が特色成分の最小値以上最大値以下の範囲であればそのまま決定し、範囲外であれば最小値または最大値としてもよい。あるいは、特色成分の最小値以上最大値以下の範囲内で装置独立な色空間における明度、彩度、色相の少なくとも１つに応じて入力色信号の特色成分の値を制御したり、自然画やグラフィックなどの画像の種別に応じて制御してもよい。さらには、特色成分の最小値と最大値で定まる範囲で決定した特色成分の値と入力色信号の特色成分の値との範囲で特色成分の値を制御し、特色成分の値を決定してもよい。なお、入力色信号の特色成分を保存する場合であって、入力色信号の特色成分と出力色信号の特色成分の色が異なる場合には、与えられた入力色信号の特色成分との色相の差が最も小さい出力色信号の特色成分の値が与えられたものとして、出力色信号の特色成分の値を決定すればよい。入力色信号の特色成分を保存しない設定の場合には、入力色信号の特色成分を参照せずに、特色成分の最小値以上最大値以下の範囲で出力色信号の特色成分の値を決定すればよい。もちろん、選択部１６からの設定を受けずにいずれかの動作を行う構成であってもよい。
【００５６】
基本色決定部１５は、再現色と、墨量決定部１２で決定した墨成分の値と、特色量決定部１４で決定した特色成分の値から、基本色成分の各値を決定する。決定方法の一例としては、実出力装置に色信号を与えた場合に得られる色の測色値とその際に与えた色信号との対応からモデルを作成し、そのモデルに、再現色、墨量決定部１２で決定した墨成分の値、特色量決定部１４で決定した特色成分の値を与え、基本色成分の値を得ればよい。例えば再現色のＬ* ａ* ｂ* とＫ、Ｒの値をモデルに与え、ＣＭＹの値を得ればよい。このようにして得られた基本色成分の値と、墨量決定部１２で決定した墨成分の値、特色量決定部１４で決定した特色成分の値を出力色信号とすればよい。
【００５７】
選択部１６は、墨量決定部１２で出力色信号の墨成分の値を決定する際に入力色信号の墨成分の相対を参照するか否か、および、特色量決定部１４で出力色信号の特色成分の値を決定する際に入力色信号の特色成分の相対を参照するか否かを選択する指示を、それぞれ墨量決定部１２および特色量決定部１４に伝える。なお、墨量決定部１２が入力色信号の墨成分を参照する構成または参照しない構成に固定されている場合には、墨量決定部１２に指示を行う必要はない。また、特色量決定部１４についても入力色信号の特色成分を参照する構成または参照しない構成に固定されている場合には、特色量決定部１４に指示を行う必要はない。いずれにも指示を行わない構成の場合には、この選択部１６を設けずに構成してもよい。
【００５８】
なお、上述の説明では出力色信号中の特色成分の数は限定していないが、特色成分が複数存在する場合であっても特色を重ねて使用しなければ特色が１色の場合に帰着する。例えば入力色信号で複数の特色成分が存在し、それらの特色成分を保存する場合にはそれぞれの特色成分の値を決定する必要がある。図４は、本発明の実施の一形態の変形例を示す構成図である。複数の特色成分について値を保存する場合の一例を図４に示している。この構成では、墨成分決定部１２で墨成分の値を決定する際にはいずれの特色成分の値についても最小値として求め、求めた墨成分の値を最大特色決定部１３で共通して用いて各特色成分の最大値を求める。そして、特色量決定部１４ではそれぞれの特色成分について、入力色信号の各特色成分の値をもとに各特色成分の最小値以上最大値以下の範囲で値を決定し、基本色決定部１５で基本色成分の値を決定すればよい。
【００５９】
以下、入力色信号と色成分の生成または保存による動作を簡単に説明する。図５は、入力色信号の色成分を保存しない場合の動作の一例の説明図である。入力色信号の色成分を保存しない場合には、出力色信号の各色成分の値を生成して行くことになる。まずＳ２１において、入力色変換部１１は入力色信号を装置独立な色空間であるＬ* ａ* ｂ* 色空間の色信号に変換する。このＬ* ａ* ｂ* 色信号が再現色を示している。この例では入力色信号の色成分を保存しないので、入力色信号は入力色変換部１１でＬ* ａ* ｂ* 色信号に変換される色信号であればどのようなものであってもよく、ＣＭＹ、ＣＭＹＫ、ＣＭＹＫと特色のほか、ＲＧＢやｓＲＧＢ、ＹＣｒＣｂなどであってもよい。なお、入力色信号がＬ* ａ* ｂ* 色信号の場合には、このＳ２１の処理は不要である。
【００６０】
Ｓ２２において、Ｌ* ａ* ｂ* 色信号から墨成分（Ｋ）および特色成分（この例ではＯＧ）の値を生成する。この処理は、上述の墨量決定部１２で墨成分（Ｋ）を決定し、その際に決定した特色成分の最小値以上、最大特色決定部１３で決定した特色成分の最大値以下の範囲で特色量決定部１４が特色成分（ＯとＧ）の値を決定する。
【００６１】
Ｓ２３において、基本色決定部１５はＳ２１で変換したＬ* ａ* ｂ* 色信号とＳ２２で生成した墨成分（Ｋ）および特色成分（この例ではＯＧ）の値とから、基本色成分の値を決定する。ここではＣ、Ｍ、Ｙの値を決定し、これによって出力色信号のＣ、Ｍ、Ｙ、Ｋ、Ｏ、Ｇの各色成分の値が決定されることになる。
【００６２】
図６は、入力色信号の墨成分および特色成分を保存する場合の動作の一例の説明図である。入力色信号の墨成分および特色成分を保存する場合には、出力色信号の墨成分および特色成分の値を決定する際に、入力色信号の墨成分および特色成分を参照して決定する。
【００６３】
まずＳ２１において、入力色変換部１１は入力色信号を、再現色を示す装置独立な色空間であるＬ* ａ* ｂ* 色空間の色信号に変換する。この例では出力色信号の色成分として入力色信号の色成分を有しているものとし、具体例として入力色信号および出力色信号ともＣＭＹＫＯＧの場合を示している。
【００６４】
Ｓ２４において、Ｌ* ａ* ｂ* 色信号と入力色信号の墨成分（Ｋ）の値から出力色信号の墨成分（Ｋ）の値を決定するとともに、その墨成分（Ｋ）とＬ* ａ* ｂ* 色信号と入力色信号の特色成分（この例ではＯＧ）の値から出力色信号の特色成分（この例ではＯＧ）の値を決定する。この処理は、上述の墨量決定部１２で入力色信号の墨成分（Ｋ）の値を参照して出力色信号の墨成分（Ｋ）を決定し、その際に決定した特色成分の最小値以上、最大特色決定部１３で決定した特色成分の最大値以下の範囲で、特色量決定部１４が入力色信号の特色成分（ＯＧ）の値を参照して出力色信号の特色成分（ＯＧ）の値を決定する。入力色信号の墨成分や特色成分を参照して出力色信号の墨成分や特色成分を決定する方法については上述した種々の方法を使用すればよい。決定された出力色信号のＫＯＧには入力色信号のＫＯＧの値が反映されることになる。
【００６５】
Ｓ２３において、基本色決定部１５はＳ２１で変換したＬ* ａ* ｂ* 色信号とＳ２４で生成した出力色信号の墨成分（Ｋ）および特色成分（この例ではＯＧ）の値とから、出力色信号の基本色成分の値を決定する。ここではＣ、Ｍ、Ｙの値を決定し、これによって出力色信号のＣ、Ｍ、Ｙ、Ｋ、Ｏ、Ｇの各色成分の値が決定されることになる。
【００６６】
図７は、入力色信号の墨成分および特色成分を保存する場合の動作の別の例の説明図である。この例では、入力色信号の墨成分および特色成分を保存する場合であって、入力色信号の特色と出力色信号の特色とが異なる場合を示している。この場合には、入力色信号の特色の色相と差が最も小さい出力色信号の特色を対応付け、対応する入力色信号の特色成分の値を参照して出力色信号の特色成分の値を決定する。また、入力色信号に対応する特色が存在しない出力色信号の特色については、その特色成分の値を生成する。この例では入力色信号の色成分がＣＭＹＫＯＧ、出力色信号の色成分がＣＭＹＫＲＧＢであるものとしている。
【００６７】
まずＳ２１において、入力色変換部１１は入力色信号を、再現色を示す装置独立な色空間であるＬ* ａ* ｂ* 色空間の色信号に変換する。
【００６８】
Ｓ２５において、Ｌ* ａ* ｂ* 色信号と入力色信号の墨成分（Ｋ）の値から出力色信号の墨成分（Ｋ）の値を決定する。また特色成分については、入力色信号の色成分のうち、Ｇについては出力色信号のＧに対応し、Ｏについては出力色信号のＲに対応する。従って、出力色信号のＧ成分の値については、決定した墨成分（Ｋ）とＬ* ａ* ｂ* 色信号と入力色信号のＧ成分の値から決定する。出力色信号のＲ成分の値についても、決定した墨成分（Ｋ）とＬ* ａ* ｂ* 色信号と入力色信号のＯ成分の値から決定する。決定された出力色信号のＫＲＧについては入力色信号のＫＯＧの値が反映されることになる。出力色信号のＢ成分の値については、入力色信号に対応する色成分が存在しないので、決定した墨成分（Ｋ）とＬ* ａ* ｂ* 色信号とから生成する。これらの処理は、上述の墨量決定部１２、最大特色決定部１３、特色量決定部１４で行われる。入力色信号の墨成分や特色成分を参照して出力色信号の墨成分や特色成分を決定する方法については上述した種々の方法を使用すればよい。
【００６９】
Ｓ２３において、基本色決定部１５はＳ２１で変換したＬ* ａ* ｂ* 色信号とＳ２５で生成した出力色信号の墨成分（Ｋ）および特色成分（この例ではＲＧＢ）の値とから、出力色信号の基本色成分の値を決定する。ここではＣ、Ｍ、Ｙの値を決定し、これによって出力色信号のＣ、Ｍ、Ｙ、Ｋ、Ｒ、Ｇ、Ｂの各色成分の値が決定されることになる。
【００７０】
図８は、入力色信号の墨成分について保存する場合の動作の一例の説明図である。この例では、入力色信号の墨成分は保存し、他の色成分については保存しない場合を示している。この場合には、出力色信号の墨成分の値を決定する際に、入力色信号の墨成分を参照して決定する。なお、この場合の入力色信号は、墨成分を有していればよく、ここではＣＭＹＫの場合を示しているが、他にもＣＭＹＫＯＧやＣＭＹＫＲＧＢ等であってもよい。
【００７１】
まずＳ２１において、入力色変換部１１は入力色信号を、再現色を示す装置独立な色空間であるＬ* ａ* ｂ* 色空間の色信号に変換する。
【００７２】
Ｓ２６において、Ｌ* ａ* ｂ* 色信号と入力色信号の墨成分（Ｋ）の値から出力色信号の墨成分（Ｋ）の値を決定する。この処理は、上述の墨量決定部１２で入力色信号の墨成分（Ｋ）の値を参照して出力色信号の墨成分（Ｋ）を決定する。決定された出力色信号のＫには入力色信号のＫの値が反映されることになる。出力色信号の特色成分については、決定した墨成分（Ｋ）とＬ* ａ* ｂ* 色信号からそれぞれの特色成分（この例ではＲＧＢ）の値を生成する。この処理は、墨成分を決定した際の特色成分の最小値以上、最大特色決定部１３で決定した特色成分の最大値以下の範囲で、特色量決定部１４が出力色信号の特色成分（ＯＧ）の値を決定する。入力色信号の墨成分や特色成分を参照して出力色信号の墨成分や特色成分を決定する方法については上述した種々の方法を使用すればよい。
【００７３】
Ｓ２３において、基本色決定部１５はＳ２１で変換したＬ* ａ* ｂ* 色信号とＳ２４で生成した出力色信号の墨成分（Ｋ）および特色成分（この例ではＲＧＢ）の値とから、出力色信号の基本色成分の値を決定する。ここではＣ、Ｍ、Ｙの値を決定し、これによって出力色信号のＣ、Ｍ、Ｙ、Ｋ、Ｒ、Ｇ、Ｂの各色成分の値が決定されることになる。
【００７４】
もちろん、墨成分を保存せずに特色成分を保存したり、特色成分についてもいずれかの特色成分を選択的に保存するように動作させてもよい。
【００７５】
図９は、動作を選択するための表示画面の一例の説明図である。図中、３１，３２，３３は選択項目である。図５から図８を用いて説明した各動作は、選択部１６に対する設定により切り替えるように構成するとよい。この選択部１６に対する設定は、利用者が行うように構成するとよい。利用者が設定を行うために、例えば図９に示した表示画面を用いて行えばよい。図９に示した表示画面の例では、入力色信号がｓＲＧＢ色空間の色信号である場合に選択する選択項目３１と、入力色信号がＣＭＹＫ色空間の色信号である場合に選択する選択項目３２と、入力色信号がＣＭＹＫＲＧ色空間の色信号である場合に選択する選択項目３３を設けている。これらの選択項目はいずれか１つが選択される。
【００７６】
選択項目３１が選択された場合には、上述の図５で示した例のように入力色信号の色成分を保存しないで処理を行う。この例ではさらに「ＵＣＲ設計パターン１（自然画）」か「ＵＣＲ設計パターン２（グラフィック）」のいずれかを選択するようになっており、この設定に従って墨成分の決定および特色成分の決定を行うことになる。
【００７７】
選択項目３２が選択された場合には、さらに「Ｋ版保持」が選択されているか否かにより処理を切り替える。「Ｋ版保存」が選択されている場合には、上述の図８で示した例のように、入力色信号の墨成分について保存して出力色信号の墨成分を決定し、出力色信号の特色成分については生成するように処理を行う。「Ｋ版保持」が選択されていない場合には、墨成分についても保存せず、特色成分とともに墨成分についても生成することになる。
【００７８】
選択項目３３が選択された場合には、さらに「Ｋ版保持」および「特色版保持」が選択されているか否かにより処理を切り替える。「Ｋ版保存」が選択されている場合には、入力色信号の墨成分について保存して出力色信号の墨成分を決定し、「Ｋ版保持」が選択されていない場合には、入力色信号の墨成分を参照せずに出力色信号の墨成分を生成する。また、「特色版保存」が選択されている場合には、入力色信号の特色成分を保存して出力色信号の特色成分を決定し、「特色版保持」が選択されていない場合には、入力色信号の特色成分を参照せずに出力色信号の特色成分を生成する。これら２つの選択項目により、図９として示した例のように両者が選択されていれば、図６に示した例のように入力色信号の墨成分および特色成分を保存するように動作する。また、両者とも選択されていなければ図５に示した例のように出力色信号の墨成分および特色成分とも生成する。「Ｋ版保存」が選択されて「特色版保持」が選択されていない場合には、図８に示した例のように出力色信号の墨成分については入力色信号の墨成分の値を保存し、特色成分については生成する。「特色版保持」が選択されて「Ｋ版保存」が選択されていない場合については例を示していないが、出力色信号の特色成分については入力色信号の特色成分の値を保存し、墨成分については生成する。
【００７９】
もちろん、図９に示した表示画面は一例であって、レイアウトや表示する設定項目を変更してよいことは言うまでもない。また、このような表示画面による設定に限らず、外部装置から設定されるなど、他の設定方法を用いてもよい。あるいは予め動作を設定しておいてもよい。
【００８０】
図１０は、本発明の実施の一形態で説明した機能をコンピュータプログラムで実現した場合におけるコンピュータプログラム及びそのコンピュータプログラムを格納した記憶媒体とコンピュータの一例の説明図である。図中、４１はプログラム、４２はコンピュータ、５１は光磁気ディスク、５２は光ディスク、５３は磁気ディスク、５４はメモリ、６１はＣＰＵ、６２は内部メモリ、６３は読取部、６４はハードディスク、６５はインタフェース、６６は通信部である。
【００８１】
上述の本発明の実施の一形態およびその変形例として説明した各部の機能の全部または部分的に、コンピュータにより実行可能なプログラム４１によって実現してもよい。その場合、そのプログラム４１およびそのプログラムが用いるデータなどは、コンピュータが読み取り可能な記憶媒体に記憶させておけばよい。記憶媒体とは、コンピュータのハードウェア資源に備えられている読取部６３に対して、プログラムの記述内容に応じて、磁気、光、電気等のエネルギーの変化状態を引き起こして、それに対応する信号の形式で、読取部６３にプログラムの記述内容を伝達するものである。例えば、光磁気ディスク５１，光ディスク５２（ＣＤやＤＶＤなどを含む）、磁気ディスク５３，メモリ５４（ＩＣカード、メモリカードなどを含む）等である。もちろんこれらの記憶媒体は、可搬型に限られるものではない。
【００８２】
これらの記憶媒体にプログラム４１を格納しておき、例えばコンピュータ４２の読取部６３あるいはインタフェース６５にこれらの記憶媒体を装着することによって、コンピュータからプログラム４１を読み出し、内部メモリ６２またはハードディスク６４に記憶し、ＣＰＵ６１によってプログラム４１を実行することによって、上述の本発明の実施の一形態およびその変形例として説明した機能が全部又は部分的に実現される。あるいは、通信路を介してプログラム４１をコンピュータ４２に転送し、コンピュータ４２では通信部６６でプログラム４１を受信して内部メモリ６２またはハードディスク６４に記憶し、ＣＰＵ６１によってプログラム４１を実行することによって実現してもよい。
【００８３】
コンピュータ４２には、このほかインタフェース６５を介して様々な装置と接続してもよい。例えば情報を表示する表示手段や利用者からの情報を受け付ける受付手段等も接続されていてもよい。例えば図９に示した表示画面を表示手段に表示させ、利用者からの選択を受け付け手段で受け付ける構成などが考えられる。また、例えば画像形成装置がインタフェース６５を介して接続され、出力色信号を使用して画像形成装置で画像を形成するように構成してもよい。なお、各構成が１台のコンピュータにおいて動作する必要はなく、処理段階に応じて別のコンピュータにより処理が実行されてもよい。
【符号の説明】
【００８４】
１１…入力色変換部、１２…墨量決定部、１３…最大特色決定部、１４…特色量決定部、１５…基本色決定部、１６…選択部、３１，３２，３３…選択項目、４１…プログラム、４２…コンピュータ、５１…光磁気ディスク、５２…光ディスク、５３…磁気ディスク、５４…メモリ、６１…ＣＰＵ、６２…内部メモリ、６３…読取部、６４…ハードディスク、６５…インタフェース、６６…通信部。
【図１】
2011009843.tif 000003
【図２】
2011009843.tif 000004
【図３】
2011009843.tif 000005
【図４】
2011009843.tif 000006
【図５】
2011009843.tif 000007
【図６】
2011009843.tif 000008
【図７】
2011009843.tif 000009
【図８】
2011009843.tif 000010
【図９】
2011009843.tif 000011
【図１０】
2011009843.tif 000012